【手続補正書】
【提出日】平成16年12月27日(2004.12.27)
【手続補正１】
【補正対象書類名】明細書
【補正対象項目名】全文
【補正方法】変更
【補正の内容】
【書類名】        明細書
【発明の名称】    情報閲覧装置
【特許請求の範囲】
【請求項１】  端末装置を用いて所定の閲覧先から所定の情報を閲覧する情報閲覧装置であって、端末装置と通信可能な管理装置と、管理装置がアクセス可能な記憶装置とを備え、
記憶装置は、各会員が情報を閲覧した閲覧先と当該閲覧先のアドレスとの少なくとも一方を示す閲覧先情報を含む閲覧先履歴情報を各会員の会員識別情報に対応させて記憶可能であり、
端末装置は、入力手段と表示手段とを備え、入力手段から入力された会員識別情報を管理装置に送信すると、
管理装置は、前記端末装置から受信した会員識別情報に対応する閲覧先履歴情報を記憶装置から読み出し、読み出した閲覧先履歴情報を当該会員識別情報を送信した端末装置に送信し、
その後、端末装置は、前記管理装置から送信された閲覧先履歴情報を受信すると、受信した閲覧先履歴情報に含まれている閲覧先情報に対応する閲覧先に閲覧要求信号を送信し、前記閲覧先から閲覧情報を受信して表示手段に表示する、
ことを特徴とする情報閲覧装置。
【請求項２】 請求項１に記載の情報閲覧装置であって、
端末装置は、管理装置から送信された閲覧先履歴情報を受信すると、受信した閲覧先履歴情報に含まれている閲覧先情報を表示手段に表示し、表示手段に表示された閲覧先情報の中から所定の閲覧先情報が選択されると、選択された閲覧先情報に対応する閲覧先に閲覧要求信号を送信し、前記閲覧先から閲覧情報を受信して表示手段に表示する、
ことを特徴とする情報閲覧装置。
【請求項３】  請求項１または２に記載の情報閲覧装置であって、
端末装置は、会員からの操作に基づいて、当該会員が情報を閲覧している閲覧先と当該閲覧先のアドレスとの少なくとも一方を示す閲覧先情報と、当該会員の会員識別情報とを管理装置に送信し、
管理装置は、前記端末装置から閲覧先情報と会員識別情報とを受信すると、記憶装置に記憶されている閲覧先履歴情報に、受信した会員識別情報に対応させて、受信した閲覧先情報を記憶する、
ことを特徴とする情報閲覧装置。
【請求項４】  端末装置を用いて所定の閲覧先から所定の情報を閲覧する情報閲覧装置であって、端末装置と通信可能な管理装置と、管理装置がアクセス可能な記憶装置とを備え、
記憶装置は、各会員が情報を閲覧した閲覧先と当該閲覧先のアドレスとの少なくとも一方を示す閲覧先情報と、当該閲覧先で情報を閲覧した時の閲覧先関連情報とを含む閲覧先履歴情報を各会員の会員識別情報に対応させて記憶可能であり、
端末装置は、入力手段と表示手段とを備え、入力手段から入力された会員識別情報を管理装置に送信すると、
管理装置は、前記端末装置から受信した会員識別情報に対応する閲覧先履歴情報を記憶装置から読み出し、読み出した閲覧先履歴情報を当該会員識別情報を送信した端末装置に送信し、
その後、端末装置は、前記管理装置から送信された閲覧先履歴情報を受信すると、受信した閲覧先履歴情報に含まれている閲覧先情報に対応する閲覧先に、前記閲覧先情報に対応する閲覧先関連情報を含む閲覧要求信号を送信し、前記閲覧先から閲覧情報を受信し、閲覧先関連情報が入力された閲覧情報を表示手段に表示する、
ことを特徴とする情報閲覧装置。
【請求項５】  請求項４に記載の情報閲覧装置であって、
端末装置は、管理装置から送信された閲覧先履歴情報を受信すると、受信した閲覧先履歴情報に含まれている閲覧先情報を表示手段に表示し、表示手段に表示された閲覧先情報の中から所定の閲覧先情報が選択されると、選択された閲覧先情報に対応する閲覧先に、選択された閲覧先情報に対応する閲覧先関連情報を含む閲覧要求信号を送信し、前記閲覧先から閲覧情報を受信し、閲覧先関連情報が入力された閲覧情報を表示手段に表示する、
ことを特徴とする情報閲覧装置。
【請求項６】  端末装置を用いて所定の閲覧先から所定の情報を閲覧する情報閲覧装置であって、端末装置と通信可能な管理装置と、管理装置がアクセス可能な記憶装置とを備え、
記憶装置は、各会員が情報を閲覧した閲覧先と当該閲覧先のアドレスとの少なくとも一方を示す閲覧先情報と、当該閲覧先で情報を閲覧した時の閲覧先関連情報とを含む閲覧先履歴情報を各会員の会員識別情報に対応させて記憶可能であり、
端末装置は、入力手段と表示手段とを備え、入力手段から入力された会員識別情報と閲覧先情報を管理装置に送信すると、
管理装置は、前記端末装置から受信した会員識別情報に対応する閲覧先履歴情報の中から、前記端末装置から受信した閲覧先情報に対応する閲覧先関連情報を読み出し、読み出した閲覧先関連情報を、当該会員識別情報と閲覧先情報を送信した端末装置に送信し、
その後、端末装置は、前記管理装置から送信された閲覧先関連情報を受信すると、入力された閲覧先情報に対応する閲覧先に、前記管理装置から受信した閲覧先関連情報を含む閲覧要求信号を送信し、前記閲覧先から閲覧情報を受信し、閲覧先関連情報が入力された閲覧情報を表示手段に表示する、
ことを特徴とする情報閲覧装置。
【請求項７】  請求項４〜６のいずれかに記載の情報閲覧装置であって、
端末装置は、会員からの操作に基づいて、当該会員が情報を閲覧している閲覧先と当該閲覧先のアドレスとの少なくとも一方を示す閲覧先情報と、当該閲覧先で当該会員が入力した閲覧先関連情報と、当該会員の会員識別情報とを管理装置に送信し、
管理装置は、前記端末装置から閲覧先情報と閲覧先関連情報と会員識別情報とを受信すると、記憶装置に記憶されている閲覧先履歴情報に、受信した会員識別情報に対応させて、受信した閲覧先情報と閲覧先関連情報を記憶する、
ことを特徴とする情報閲覧装置。
【請求項８】  請求項４〜７のいずれかに記載の情報閲覧装置であって、閲覧先関連情報は、会員が閲覧先で情報を閲覧した際に当該会員が入力した情報である、
ことを特徴とする情報閲覧装置。
【請求項９】  請求項１〜８のいずれかに記載の情報閲覧装置であって、会員識別情報を入力する入力手段は、会員識別情報記録媒体に記録されている会員識別情報を読み取る会員識別情報読取手段である、
ことを特徴とする情報閲覧装置。
【発明の詳細な説明】
【０００１】
【発明の属する技術分野】
本発明は、遊技場等において、インターネット等を用いて各種の情報を閲覧可能な、情報閲覧装置に関する。
【０００２】
【従来の技術】
近年、利用者が自宅のパソコン等でインターネット等を用いて様々な情報を閲覧した場合、そのアクセス情報（個人情報等）が、アクセスしたパソコン等に保存され、次回のアクセスの際に使用される仕組みが用いられている。例えば、利用者がインターネット上の、ある閲覧情報画面（Ｗｅｂページ等）で氏名及び住所等を入力して商品等を購入した場合、次回その閲覧情報を閲覧した場合は自動的に氏名及び住所等が入力されることがある。この仕組みは当該閲覧情報の閲覧先サーバから利用者のパソコンに書き込まれるアクセス履歴情報（Cookie情報等）が、パソコンに記憶されていることによる。これは、利用者とパソコンが１対１の関係であることで成立している。
【０００３】
【発明が解決しようとする課題】
ところで、遊技場等においても、会員へのサービスとしてインターネット上の閲覧情報画面（Ｗｅｂページ等）を閲覧可能な情報閲覧装置を設けることも考えられる。しかし、遊技場には複数の情報閲覧装置が設けられており、各情報閲覧装置を利用する遊技者も複数である。このため、遊技者と情報閲覧装置が多対多の関係であるため、上記アクセス履歴情報を利用するには不適切であり、アクセス履歴情報を有効に利用できない。（例えば、ある情報閲覧装置で閲覧情報を閲覧した会員が氏名及び住所等を入力した内容を、別の会員が当該情報閲覧装置で当該閲覧情報を閲覧した時に表示してしまう。）
また、遊技場等においては、情報閲覧装置を各遊技機毎に設けることも考えられる。通常、会員は適宜に移動して様々な遊技機で遊技する。このため、ある遊技機で遊技中に情報閲覧装置で閲覧情報を閲覧し、遊技機を移動して移動先の情報閲覧装置で続きを閲覧したい場合、再度、閲覧先のアドレス等を入力して閲覧する必要があり、非常に手間がかかる。
本発明は、このような点に鑑みて創案されたものであり、頻繁に利用者が変わる情報閲覧装置において、手間なく閲覧情報を閲覧できる情報閲覧装置を提供することを目的とする。
【０００４】
【課題を解決するための手段】
上記課題を解決するための本発明の第１発明は、請求項１に記載されたとおりの情報閲覧装置である。
請求項１に記載の情報閲覧装置では、端末装置は、入力された会員識別情報を管理装置に送信し、管理装置から当該会員識別情報（会員ＩＤ等）に対応する閲覧先履歴情報を受信して、受信した閲覧先履歴情報に含まれている閲覧先情報（閲覧先の名称と閲覧先のＵＲＬとの少なくとも一方等）に対応する閲覧先にアクセスする。（そして、当該閲覧先の閲覧情報を受信して表示する。）
このため、会員は、会員識別情報を入力すれば、どの端末装置を利用しても、手間なく閲覧情報（Ｗｅｂページ等）を閲覧できる。
また、本発明の第２発明は、請求項２に記載されたとおりの情報閲覧装置である。
請求項２に記載の情報閲覧装置では、端末装置は、管理装置から閲覧先履歴情報を受信すると、受信した閲覧先履歴情報に含まれている閲覧先情報を表示手段に表示する。そして、表示した閲覧先情報の中から閲覧先が選択されると、閲覧先情報（閲覧先の名称と閲覧先のＵＲＬとの少なくとも一方等）に対応する閲覧先にアクセスする。
このため、会員は、会員識別情報を入力した後、自己の閲覧先履歴情報に基づいて表示される閲覧先情報の中から、希望する閲覧先情報を選択することで、どの端末装置を利用しても、手間なく閲覧情報（Ｗｅｂページ等）を閲覧できる。
【０００５】
また、本発明の第３発明は、請求項３に記載されたとおりの情報閲覧装置である。
請求項３に記載の情報閲覧装置では、端末装置は、会員からの操作に基づいて、当該会員が情報を閲覧している閲覧先（閲覧先の名称等）と当該閲覧先のアドレス（閲覧先のＵＲＬ等）との少なくとも一方を示す閲覧先情報と、当該会員の会員識別情報（会員ＩＤ等）を管理装置に送信する。そして、管理装置は、受信した閲覧先情報を、受信した会員識別情報に対応させて記憶装置に記憶する。
このため、管理装置は、各利用者の閲覧先履歴情報を適切に記憶装置に記憶することができる。
【０００６】
また、本発明の第４発明は、請求項４に記載されたとおりの情報閲覧装置である。
請求項４に記載の情報閲覧装置では、第１発明に対して、更に、閲覧先履歴情報には、当該閲覧先で情報を閲覧した時の閲覧先関連情報が含まれている。そして、端末装置は、管理装置から閲覧先履歴情報を受信すると、受信した閲覧先履歴情報に含まれている閲覧先情報に対応する閲覧先に、閲覧先関連情報とともにアクセスする。（そして、当該閲覧先の閲覧情報を受信して表示する。）これにより、例えば、利用者が以前に当該閲覧先で入力した住所及び氏名等を閲覧先関連情報として記憶すれば、当該利用者が再度当該閲覧先にアクセスした場合、自動的に住所及び氏名等が入力された状態で端末装置に表示することができる。
このため、会員は、会員識別情報を入力すれば、どの端末装置を利用しても、手間なく閲覧情報を閲覧できる。しかも、閲覧先関連情報により、当該閲覧先に関連する入力等を閲覧先関連情報に基づいて自動的に行わせることで、どの端末装置を利用しても、更に手間なく閲覧情報を閲覧できる。
また、本発明の第５発明は、請求項５に記載されたとおりの情報閲覧装置である。
請求項５に記載の情報閲覧装置では、端末装置は、管理装置から閲覧先履歴情報を受信すると、受信した閲覧先履歴情報に含まれている閲覧先情報を表示手段に表示する。そして、表示した閲覧先情報の中から閲覧先が選択されると、閲覧先情報に対応する閲覧先に、閲覧先関連情報とともにアクセスする。これにより、例えば、利用者が以前に当該閲覧先で入力した住所及び氏名等を閲覧先関連情報として記憶すれば、当該利用者が再度当該閲覧先にアクセスした場合、自動的に住所及び氏名等が入力された状態で端末装置に表示することができる。
このため、会員は、会員識別情報を入力した後、自己の閲覧先履歴情報に基づいて表示される閲覧先情報の中から、希望する閲覧先情報を選択することで、どの端末装置を利用しても、手間なく閲覧情報を閲覧できる。しかも、閲覧先関連情報により、当該閲覧先に関連する入力等を閲覧先関連情報に基づいて自動的に行わせることで、どの端末装置を利用しても、更に手間なく閲覧情報を閲覧できる。
【０００７】
また、本発明の第６発明は、請求項６に記載されたとおりの情報閲覧装置である。
請求項６に記載の情報閲覧装置では、第１発明に対して、更に、閲覧先履歴情報には、当該閲覧先で情報を閲覧した時の閲覧先関連情報が含まれている。そして、端末装置には、会員識別情報に加えて閲覧先情報が入力される。管理装置は、端末装置から会員識別情報と閲覧先情報を受信して、当該会員識別情報と当該閲覧先情報に対応する閲覧先関連情報を端末装置に送信する。そして、端末装置は、入力された閲覧先情報に対応する閲覧先に、閲覧先関連情報とともにアクセスする。（そして、当該閲覧先の閲覧情報を受信して表示する。）これにより、例えば、利用者が以前に当該閲覧先で入力した住所及び氏名等を閲覧先関連情報として記憶すれば、当該利用者が再度、閲覧先情報を入力して当該閲覧先にアクセスした場合、自動的に住所及び氏名等が入力された状態で端末装置に表示することができる。
このため、会員は、会員識別情報と閲覧先情報を入力した後、自己の閲覧先履歴情報に基づいた閲覧先関連情報により、当該閲覧先に関連する入力等を閲覧先関連情報に基づいて自動的に行わせることで、どの端末装置を利用しても、手間なく閲覧情報を閲覧できる。
【０００８】
また、本発明の第７発明は、請求項７に記載されたとおりの情報閲覧装置である。
請求項７に記載の情報閲覧装置では、第３発明に対して、端末装置から管理装置に送信する情報には、閲覧先情報と会員識別情報に加えて閲覧先関連情報がある。
このため、管理装置は、各利用者の閲覧先履歴情報を適切に記憶装置に記憶することができる。
【０００９】
また、本発明の第８発明は、請求項８に記載されたとおりの情報閲覧装置である。
請求項８に記載の情報閲覧装置では、閲覧先関連情報には、会員が情報を閲覧時に入力した情報（住所及び氏名等）を記憶する。
このため、利用者は、以前に閲覧先で入力した情報を再度入力する必要がないので、どの端末装置を利用しても、手間なく閲覧情報を閲覧できる。
【００１０】
また、本発明の第９発明は、請求項９に記載されたとおりの情報閲覧装置である。
請求項９に記載の情報閲覧装置では、入力手段は、会員識別情報記録媒体（会員カード等）に記録されている会員識別情報を読み取る会員識別情報読取手段（カードリーダ等）である。
このため、会員は、会員識別情報記録媒体（会員カード等）を会員識別情報読取手段（カードリーダ等）に挿入等するだけで、手間なく会員識別情報を入力することができる。
【００１１】
【発明の実施の形態】
以下に本発明の実施の形態を図面を用いて説明する。図１は、本発明の情報閲覧装置の一実施の形態の概略構成図を示している。
情報閲覧装置１００は、例えば遊技場内に設けられ、複数の端末装置１０と、各端末装置１０と通信可能に接続された管理装置２０と、管理装置２０がアクセス可能に接続された記憶装置３０とで構成されている。
各端末装置１０は、管理装置２０に接続される一方、通信回線５０（インターネット等）にも接続される。通信回線５０には、複数の閲覧先サーバ４０（閲覧情報を提供するサーバ等）が接続されている。各端末装置１０は、通信回線５０を介して閲覧先サーバ４０にアクセスし、閲覧先サーバ４０から閲覧情報を受信して表示する。
ここで、各装置の接続及び通信回線５０への接続は、有線で接続してもよいし、無線で接続してもよい。また、端末装置１０は単数でもよい。
【００１２】
図２は、端末装置１０の設置及び外観図の例である。図２は、例えば遊技場において、各遊技機６０毎に端末装置１０を設けた例である。遊技機６０で遊技する会員は、遊技しながら端末装置１０を操作して閲覧情報（Ｗｅｂページ等）を閲覧することができる。なお、端末装置１０は、遊技機６０毎に設置されてなくてもよい。
端末装置１０は、表示画面１２（表示手段等）、キーボード１４（キー入力手段等）、会員カード読取部１６（会員識別情報読取手段（入力手段）等）を有している。なお、端末装置１０は、遊技媒体貸出し機等、他の機器と一体の構成であってもよい。
遊技機６０で遊技する会員は、遊技機６０で遊技しながら当該遊技機６０に併設された端末装置１０を用いて閲覧情報（Ｗｅｂページ等）を閲覧できる。しかし、当該会員が、他の遊技機６０に移動して、移動前に閲覧していた閲覧情報を継続して閲覧したい、あるいは過去に閲覧した閲覧情報を再度閲覧したい場合が多々発生する。本発明の情報閲覧装置１００は、このような場合であっても、頻繁に利用者が変わる情報閲覧装置において、手間なく閲覧情報を閲覧できる。
【００１３】
例えば、会員は遊技機６０の前に座り、会員カード（会員識別情報記録媒体）を端末装置１０の会員カード読取部１６（会員識別情報読取手段（入力手段））に挿入し、遊技を開始する。端末装置１０は、挿入された会員カードから会員ＩＤ（会員識別情報等）を読み取り、読み取った会員ＩＤを管理装置２０に送信する。管理装置２０は、受信した会員ＩＤに対応する閲覧先履歴情報を記憶装置３０から読み出し、当該閲覧先履歴情報を端末装置１０に送信する。端末装置１０は、受信した閲覧先履歴情報に含まれている閲覧先情報（閲覧先の名称と閲覧先のＵＲＬとの少なくとも一方等）を表示し、表示した閲覧先情報の中から会員が選択した閲覧先情報に基づいて、閲覧先にアクセスする。そして、端末装置１０は、閲覧先から閲覧情報（Ｗｅｂページ画像情報等）を受信して、受信した閲覧情報を表示手段に表示する。
なお、本実施の形態では、「選択」は「入力」と同じ概念として用いている。
【００１４】
以下、第１の実施の形態〜第３の実施の形態について説明する。各実施の形態は、記憶装置３０に記憶する閲覧先履歴情報の閲覧先関連情報の有無と、端末装置１０に表示される（閲覧先から受信した）閲覧情報への自動的な入力の有無と、利用する会員による閲覧先情報の入力の有無が相違する。
◆［第１の実施の形態］
第１の実施の形態では、閲覧先履歴情報には、会員識別情報（会員ＩＤ等）に対応させて、当該会員識別情報に対応する会員が情報を閲覧した閲覧先を示す閲覧先名称情報（Ｗｅｂページ名称等）と、当該閲覧先のアドレスを示す閲覧先アドレス情報（ＵＲＬ等）と、当該閲覧先で情報を閲覧した時に当該会員がキーボード１４等から入力した閲覧先関連情報（会員が入力した情報等）が記憶される。そして、端末装置１０に表示される（閲覧先から受信した）閲覧情報には、閲覧先関連情報に基づいて自動的に入力が行われる。また、利用する会員は、閲覧先情報（名称とＵＲＬとの少なくとも一方等）を入力することなく、表示画面１２に表示された中から希望する閲覧先を選択すればよく、手間なく閲覧情報を閲覧できる。
この場合、閲覧先名称情報と閲覧先アドレス情報が、閲覧先情報に相当するが、閲覧先情報は、少なくとも一方でよい。
【００１５】
次に、図３を用いて、記憶装置３０に記憶される閲覧先履歴情報について説明する。
図３（Ａ）に示すように、会員履歴情報３１には、会員ＩＤ（会員識別情報）に対応させて、履歴１〜履歴ｎが記憶される。
「会員ＩＤ」には、会員を識別するための情報が記憶される。
「履歴ｘ」には、当該会員ＩＤに対応する会員が過去に閲覧した履歴が記憶された閲覧先履歴情報３２（閲覧履歴ファイル名等）が記憶される。
なお、閲覧先履歴情報３２を個々に記憶することなく、会員履歴情報３１の「履歴ｘ」の中に、閲覧先名称情報と閲覧先アドレス情報と閲覧先関連情報を記憶させてもよい。会員識別情報に対応させて、閲覧先名称情報と閲覧先アドレス情報と閲覧先関連情報を記憶する方法は、種々の方法が可能である。
【００１６】
図３（Ａ）では、例えば会員ＩＤ「０００１」の会員に対する履歴１には「ａａ１」の閲覧先履歴情報が対応していることを示している。また、図３（Ｂ）に「ａａ１」の閲覧先履歴情報３２の例を示す。
閲覧先履歴情報３２の１行目（３２ａ部分）には当該閲覧先履歴情報の閲覧履歴ファイル名等（この場合、「ａａ１」）が示されている。また、２行目（３２ｂ部分）には閲覧先の名称（閲覧先名称情報）等が示されている。３行目（３２ｃ部分）には閲覧先のＵＲＬ（閲覧先アドレス情報）等が示され、４行目以降（３２ｄ部分）には閲覧先で入力した情報（閲覧先関連情報）等が示されている。
【００１７】
次に、図４に示すフローチャートと、図５に示す表示画面を用いて、処理の流れ、操作及び表示画面の例について説明する。
例えば、会員は、端末装置１０を用いて閲覧情報を手間なく閲覧したい場合、会員カード（会員識別情報記録媒体）を会員カード読取部１６に挿入して会員ＩＤ（会員識別情報）を読み取らせることで、自己の会員ＩＤを入力する。なお、会員ＩＤの入力は、キーボード１４から入力するようにしてもよい。会員ＩＤの入力方法は、種々の方法が可能である。
端末装置１０は、ステップＳ１０にて、会員カードが会員カード読取部１６に挿入されたか否かを判定する。会員カードが挿入されていない（Ｎｏ）場合はステップＳ１０に戻る。会員カードが挿入されている（Ｙｅｓ）場合はステップＳ１５に進む。
例えば、ステップＳ１５に進んだ時点で、端末装置１０は、図５に示す表示メニュー画面３５を表示する。
【００１８】
ステップＳ１５では、端末装置１０は、会員カード読取部１６にて会員カードに記録されている会員ＩＤを読み取り、読み取った会員ＩＤを管理装置２０に送信する。
ステップＳ２０では、管理装置２０は、端末装置１０から受信した会員ＩＤに対応する会員ＩＤを、記憶装置３０に記憶されている会員履歴情報３１の中から検索（照合）する。
そして、ステップＳ２５では、管理装置２０は、検索の結果、一致する会員ＩＤの有無を判定する。一致する会員が検索されなかった（Ｎｏ）場合はステップＳ３０に進む。ステップＳ３０では、照合不一致信号を端末装置１０に送信する。一致する会員が検索された（Ｙｅｓ）場合はステップＳ３５に進む。ステップＳ３５では、照合一致信号を端末装置１０に送信する。
【００１９】
ステップＳ４０では、端末装置１０は、管理装置２０から受信した信号が、照合一致信号か照合不一致信号のどちらであるか判定する。照合一致信号でない（照合不一致信号である）（Ｎｏ）場合はステップＳ４５に進む。ステップＳ４５では、照合結果が不一致であったことを表示画面１２に表示する（例えば、「会員履歴情報には閲覧履歴がありませんでした。閲覧する場合には過去の履歴から選択することはできません。」等の表示をする）。そして、ステップＳ５０に進む。ステップＳ４０の判定結果、照合一致信号である（Ｙｅｓ）場合はステップＳ５０に進む。
【００２０】
ステップＳ５０では、端末装置１０は、閲覧情報（Ｗｅｂページ等）の閲覧指示が会員から入力されたか否かを判定する。閲覧指示が入力されていない（Ｎｏ）場合はステップＳ５０に戻り、閲覧指示の入力を待つ。閲覧指示が入力された（Ｙｅｓ）場合はステップＳ５５に進む。
ステップＳ５５では、端末装置１０は、閲覧先入力画面要求信号（会員が容易に閲覧先を入力できるようにサポートする画面の要求信号）を管理装置２０に送信する。
ステップＳ６０では、管理装置２０は、端末装置１０から閲覧先入力画面要求信号を受信し、閲覧先入力画面情報と、当該会員の会員ＩＤに対応する閲覧先履歴情報とを、（ステップＳ１５にて）会員ＩＤを送信してきた端末装置に送信する。
例えば、図５に示す表示メニュー画面３５から、会員が、「１．Ｗｅｂ閲覧」に対応する「表示」選択部（ボタン等）を選択した場合、端末装置１０は、閲覧先入力画面要求信号を管理装置２０に送信する。そして、端末装置１０は、管理装置２０から、閲覧先入力画面信号と当該会員の会員ＩＤに対応する閲覧先履歴情報とを受信し、図５に示す閲覧先入力画面３６を表示する。なお、この表示メニュー画面３５には、Ｗｅｂ閲覧以外の情報も選択できる例を示している。
【００２１】
図５に示す閲覧先入力画面３６では、管理装置２０から送信された閲覧先履歴情報が３個であった例を示している。このため、「１．以前の閲覧履歴から選択」の部分で、「第１の履歴（３６ａ部分）」と「第２の履歴（３６ｂ部分）」と「第３の履歴（３６ｃ部分）」が表示されている。
例えば、「第１の履歴」選択部（ボタン等）には、図３（Ａ）に示す会員履歴情報３１の「履歴１」の閲覧先履歴情報３２（会員ＩＤ「０００１」の会員の場合は「ａａ１」）が対応している。そして、当該閲覧先履歴情報３２に示されている閲覧先の名称等（３２ｂ部分）から抽出した名称（閲覧先名称情報）が、「第１の履歴」選択部の下の「名称」部分に表示される。同様に、当該閲覧履歴情報３２に示されている閲覧先のＵＲＬ等（３２ｃ部分）から抽出したアドレス（閲覧先アドレス情報）が、「第１の履歴」選択部の下の「ＵＲＬ」部分に表示される。会員は、この「名称」あるいは「ＵＲＬ」を確認して、希望する閲覧先を確実に且つ容易に選択することができる。この「名称」あるいは「ＵＲＬ」の表示は、一方のみを表示するようにしてもよい。
【００２２】
また、図５に示す閲覧先入力画面３６には、「２．お勧め閲覧先から選択」する選択部（３６ｄの部分）と、「３．ＵＲＬを直接入力」する選択部（３６ｅの部分）も含んでいる。
会員が、選択部３６ｄを選択した場合は、当該遊技場等が予め用意した「お勧め閲覧先」の一覧が表示され、希望する閲覧先を選択することができる。また、会員が、選択部３６ｅを選択した場合は、キーボード１４等から任意のＵＲＬを入力することができる。
ステップＳ６５では、以上に説明した方法で会員が閲覧先を選択あるいは入力すると、端末装置１０は、選択あるいは入力された閲覧先情報（閲覧先名称情報と閲覧先アドレス情報との少なくとも一方）に対応する閲覧先に閲覧要求信号を送信する。この場合、会員が「第１の履歴」〜「第３の履歴」の中から選択した時は、閲覧要求信号には選択した閲覧先情報に対応する閲覧先関連情報が含まれている。
【００２３】
ステップＳ７０では、閲覧先サーバ４０は、端末装置１０から閲覧要求信号を受信し、閲覧要求信号を送信してきた端末装置１０に閲覧情報を送信する。
ステップＳ７５では、端末装置１０は、閲覧先サーバ４０から閲覧情報を受信し、表示画面１２に表示する。これにより、会員は閲覧先の閲覧情報（Ｗｅｂページ等）を閲覧することができる。このとき、閲覧要求信号に閲覧先関連情報が含まれていた場合、表示された閲覧情報は、閲覧先関連情報に基づいて自動的に入力された状態で表示される。
図５に、閲覧先入力画面３６から「第３の履歴（３６ｃの部分）」を選択し、第３の閲覧先履歴情報に基づいた閲覧先アドレス情報から閲覧情報を受信して表示した閲覧情報画面３７の例を示す。
【００２４】
以上の説明に示すように、端末装置１０は、入力手段（会員カード読取部１６等）と表示手段（表示画面１２等）とを備え、入力手段から会員識別情報（会員ＩＤ等）が入力されると、入力された会員識別情報を管理装置２０に送信する。
管理装置２０は、端末装置１０から送信された会員識別情報を受信すると、受信した会員識別情報に対応する閲覧先履歴情報を記憶装置３０から読み出し、読み出した閲覧先履歴情報を当該会員識別情報を送信した端末装置１０に送信する。
端末装置１０は、管理装置２０から送信された閲覧先履歴情報を受信すると、受信した閲覧先履歴情報に含まれている閲覧先情報を表示手段に表示する。そして、表示手段に表示された閲覧先情報の中から所定の閲覧先情報が選択されると、選択された閲覧先情報に対応する閲覧先に、選択された閲覧先情報に対応する閲覧先関連情報を含む閲覧要求信号を送信する。
そして、端末装置１０は閲覧先から閲覧情報を受信し、表示手段に表示する（表示した閲覧情報は、閲覧先関連情報に基づいて自動的に入力された情報で表示される）。
【００２５】
以降のステップの説明では、閲覧先履歴情報の記憶方法について説明する。ここで、閲覧先履歴情報の記憶方法は、２通りある。
第１の方法は、閲覧先サーバ４０からのアクセス情報の記憶要求（Cookie情報の記憶要求等）に基づいて端末装置１０に記憶されたアクセス情報（Cookie情報等）を会員ＩＤに対応させて会員履歴情報３１に記憶する方法である。この方法では、閲覧先サーバ４０からのアクセス情報の記憶要求を必要とする。
第２の方法は、現在、会員によって表示されている閲覧先に関する情報を、会員からの操作によって、会員ＩＤに対応させて会員履歴情報３１に記憶する方法である。この方法では、閲覧先サーバ４０からのアクセス情報の記憶要求を必要とせず、会員の意思により、当該会員が希望する閲覧先に関する閲覧先履歴情報を記憶することができる。
【００２６】
［第１の方法］
第１の方法では、端末装置１０は、閲覧要求信号を送信した後に、閲覧先サーバ４０からのアクセス情報の記憶要求を受信した後、ステップＳ８０にて、会員ＩＤと閲覧先情報（閲覧先名称情報と閲覧先アドレス情報との少なくとも一方）と閲覧先関連情報を、管理装置２０に送信する。第１の方法の場合、アクセス情報（Cookie情報等）には、閲覧先アドレス情報と閲覧先関連情報が含まれているので、会員ＩＤと閲覧先名称情報とアクセス情報を送信する。
ステップＳ８５では、管理装置２０は、端末装置から受信した、閲覧先情報と閲覧先関連情報（この場合、閲覧先名称情報とアクセス情報）を、受信した会員ＩＤに対応させて、記憶装置３０に記憶する。
なお、端末装置１０は、管理装置２０に会員ＩＤと閲覧先情報と閲覧先関連情報（この場合、閲覧先名称情報とアクセス情報）を送信した後、アクセス情報（Cookie情報等）を端末装置１０の記憶装置から削除する。
【００２７】
［第２の方法］
第２の方法では、端末装置１０は、閲覧要求信号を送信した後に、会員からの操作によって、現在、表示画面１２に表示されている閲覧先に関する情報を記憶装置３０に記憶する。
例えば、図５に示す閲覧情報画面３７には、「閲覧履歴に記憶」する選択部（３７ａ部分）が用意されている。会員からの操作によって、閲覧情報画面３７の「閲覧履歴に記憶」する選択部（３７ａ部分）が選択されると、端末装置１０は、ステップＳ８０にて、会員ＩＤと閲覧先情報（閲覧先名称情報と閲覧先アドレス情報との少なくとも一方）と閲覧先関連情報を、管理装置２０に送信する。
そして、ステップＳ８５では、管理装置２０は、端末装置から受信した、閲覧先情報と閲覧先関連情報を、受信した会員ＩＤに対応させて、記憶装置３０に記憶する。
以上に説明した処理の流れ、操作及び表示画面により、会員は、頻繁に情報閲覧装置を変更しても、手間なく閲覧情報を閲覧できる。
【００２８】
◆［第２の実施の形態］
第２の実施の形態では、閲覧先履歴情報には、会員識別情報（会員ＩＤ等）に対応させて、当該会員識別情報に対応する会員が情報を閲覧した閲覧先を示す閲覧先名称情報（Ｗｅｂページ名称等）と、当該閲覧先のアドレスを示す閲覧先アドレス情報（ＵＲＬ等）とが記憶される（当該閲覧先で情報を閲覧した時に当該会員がキーボード１４等から入力した閲覧先関連情報は記憶しない）。このため、端末装置１０に表示される（閲覧先から受信した）閲覧情報には、閲覧先関連情報に基づいた自動的な入力は行われない、という点が第１の実施の形態との相違点である。
また、利用する会員は、閲覧先情報（名称とＵＲＬとの少なくとも一方等）を入力することなく、表示画面１２に表示された中から選択すればよく、手間なく閲覧情報を閲覧できる点においては、第１の実施の形態と同様である。
この場合、閲覧先名称情報と閲覧先アドレス情報が、閲覧先情報に相当するが、閲覧先情報は、少なくとも一方でよい。
以下、第１の実施の形態との相違点について説明する。
【００２９】
概略構成図（図１）、設置及び外観図（図２）は、第１の実施の形態と同様であるので説明を省略する。
第２の実施の形態では、図３（Ｂ）に示す閲覧先履歴情報３２から閲覧先で入力した情報（閲覧先関連情報）等（３２ｄ部分）が省略される。また、図４に示すフローチャートにおいて、ステップＳ６５では、閲覧要求信号に閲覧先関連情報が含まれていない。また、ステップＳ８０及びステップＳ８５では、閲覧先関連情報が省略される。また、図５に示す閲覧情報画面３７において、過去に入力した情報が自動的に入力されることがなくなる。
第２の実施の形態では、第１の実施の形態に対して、以上の点が省略されるが、閲覧履歴情報３２のサイズを小さくできるので、記憶装置３０に、より多くの会員履歴情報３１及び閲覧履歴情報３２を記憶することができる。また、管理装置２０から端末装置１０への閲覧履歴情報の送信（ステップＳ６０）と、端末装置１０から管理装置２０への閲覧履歴情報の送信（ステップＳ８０）の通信量が削減されるので、端末装置１０及び管理装置２０の処理負荷が低減される。
【００３０】
以上の説明に示すように、端末装置１０は、入力手段（会員カード読取部１６等）と表示手段（表示画面１２等）とを備え、入力手段から会員識別情報（会員ＩＤ等）が入力されると、入力された会員識別情報を管理装置２０に送信する。
管理装置２０は、端末装置１０から送信された会員識別情報を受信すると、受信した会員識別情報に対応する閲覧先履歴情報を記憶装置３０から読み出し、読み出した閲覧先履歴情報を当該会員識別情報を送信した端末装置１０に送信する。
端末装置１０は、管理装置２０から送信された閲覧先履歴情報を受信すると、受信した閲覧先履歴情報に含まれている閲覧先情報を表示手段に表示する。そして、表示手段に表示された閲覧先情報の中から所定の閲覧先情報が選択されると、選択された閲覧先情報に対応する閲覧先に閲覧要求信号を送信する。
そして、端末装置１０は閲覧先から閲覧情報を受信し、表示手段に表示する。
【００３１】
◆［第３の実施の形態］
第３の実施の形態では、閲覧先履歴情報には、会員識別情報（会員ＩＤ等）に対応させて、当該会員識別情報に対応する会員が情報を閲覧した閲覧先を示す閲覧先名称情報（Ｗｅｂページ名称等）と、当該閲覧先のアドレスを示す閲覧先アドレス情報（ＵＲＬ等）と、当該閲覧先で情報を閲覧した時に当該会員がキーボード１４等から入力した閲覧先関連情報が記憶される点においては、第１の実施の形態と同様である。そして、端末装置１０に表示される（閲覧先から受信した）閲覧情報には、閲覧先関連情報に基づいて自動的に入力が行われる点においても、第１の実施の形態と同様である。
しかし、利用する会員は、閲覧先情報（名称とＵＲＬとの少なくとも一方等）を入力する点が、第１の実施の形態と異なる。会員が過去に閲覧した閲覧先の閲覧情報を表示させた時に入力した情報を、再度入力する必要がない点において、手間なく閲覧情報を閲覧できる。
この場合、閲覧先名称情報と閲覧先アドレス情報が、閲覧先情報に相当するが、閲覧先情報は、少なくとも一方でよい。
以下、第１の実施の形態との相違点について説明する。
【００３２】
概略構成図（図１）、設置及び外観図（図２）、会員履歴情報（図３（Ａ））、閲覧先履歴情報（図３（Ｂ））、フローチャート（図４）は、第１の実施の形態と同様であるので説明を省略する。
第３の実施の形態では、図５に示す閲覧先入力画面３６において、「第１の履歴」〜「第３の履歴」の選択部を含む「１．以前の閲覧履歴から選択」部分が省略される。会員は、「２．お勧めの閲覧先から選択」あるいは「３．ＵＲＬを直接入力」の中から閲覧先を入力する。
第３の実施の形態では、第１の実施の形態に対して、以上の点が省略されるが、閲覧先入力画面３６の構成を簡略化することができるとともに、簡略化した部分（過去の閲覧先履歴情報の表示及び選択後の処理）を省略できるので、端末装置１０の処理負荷及び開発期間を縮小することができる。
【００３３】
以上の説明に示すように、端末装置１０は、入力手段（会員カード読取部１６等）と表示手段（表示画面１２等）とを備え、入力手段から会員識別情報（会員ＩＤ等）と閲覧先情報（名称とＵＲＬとの少なくとも一方等）が入力されると、入力された会員識別情報と閲覧先情報を管理装置に送信する。
管理装置２０は、端末装置１０から送信された会員識別情報と閲覧先情報を受信すると、受信した会員識別情報に対応する閲覧先履歴情報の中から受信した閲覧先情報に対応する閲覧先関連情報を読み出し、読み出した閲覧先関連情報を、当該会員識別情報と閲覧先情報を送信した端末装置１０に送信する。
端末装置１０は、管理装置２０から送信された閲覧先関連情報を受信すると、入力された閲覧先情報に対応する閲覧先に、受信した閲覧先関連情報を含む閲覧要求信号を送信する。
そして、端末装置１０は閲覧先から閲覧情報を受信し、表示手段に表示する（表示した閲覧情報は、閲覧先関連情報に基づいて自動的に入力された情報で表示される）。
【００３４】
本発明の情報閲覧装置は、本実施の形態で説明した構成、配置、外観、処理手順、表示画面等に限定されず、本発明の要旨を変更しない範囲で種々の変更、追加、削除が可能である。
会員履歴情報３１及び閲覧先履歴情報３２の項目、内容、構成等は、図３（Ａ）及び図３（Ｂ）に限定されるものではない。
端末装置１０、管理装置２０及び閲覧先サーバ４０における処理の流れは、図４に示すフローチャートに限定されるものではない。
端末装置１０の表示画面１２に表示される画面の構成（内容）及び画面の遷移は、図５に示す画面の構成（内容）及び画面の遷移に限定されるものではない。
本実施の形態の説明に用いた数値は一例であり、この数値に限定されるものではない。
本発明の情報閲覧装置は、実施の形態で説明した遊技場での適用に限定されず、種々の適用が可能である。
また、本実施の形態では、端末装置１０と表示画面１２（表示手段）と会員カード読取部１６（入力手段）とキーボード１４（キー入力手段）を一体の構成としているが、別体の構成にしてもよい。
【００３５】
【発明の効果】
以上説明したように、請求項１〜９のいずれかに記載の情報閲覧装置を用いれば、頻繁に利用者が変わる情報閲覧装置において、手間なく閲覧情報を閲覧できる情報閲覧装置を提供できる。
【図面の簡単な説明】
【図１】
本発明の情報閲覧装置１００の一実施の形態の概略構成図である。
【図２】
端末装置１０の設置及び外観の例を示す図である。
【図３】
会員履歴情報３１及び閲覧先履歴情報３２の例を示す図である。
【図４】
端末装置１０、管理装置２０及び閲覧先サーバ４０の処理の流れを示すフローチャートの例である。
【図５】
端末装置１０の表示画面１２に表示される画面の構成（内容）及び画面の遷移の例を示す図である。
【符号の説明】
１０    端末装置
１２    表示画面（表示手段）
１４    キーボード（キー入力手段）
１６    会員カード読取部（会員識別情報読取手段（入力手段））
２０    管理装置
３０    記憶装置
４０    閲覧先サーバ
５０    通信回線
１００  情報閲覧装置